(57)【要約】【課題】ファイルに関する情報の表示に関して操作性の向上を図る。【解決手段】フォルダアイコンを複数の領域に分割したとき、各分割領域の範囲を特定する領域指定情報に、実行する表示制御処理を対応付けして処理対応テーブル２５に設定登録しておく。フォルダアイコンのどの分割領域にどの表示形態が割り付けられているか知っているユーザは、フォルダアイコンの所望の分割領域内をクリックすると、指示位置検出部２２は、フォルダアイコン上におけるクリック位置を検出する。表示処理部２３は、検出されたクリック位置を含む分割領域を特定し、その特定した分割領域に対応付けられた表示制御処理を実行することにより、当該フォルダに格納されているファイルに関する情報を所望の表示形態にてファイル情報表示空間に展開し、その展開したファイル情報をファイル情報表示領域に表示する。【選択図】図２
2008146277.tif 000002
【特許請求の範囲】
【請求項１】
ファイルを格納するフォルダそれぞれの存在を示すフォルダアイコンが表示されるフォルダ表示領域及び各フォルダに格納されたファイルに関する情報が表示されるファイル情報表示領域を画面表示する表示手段と、
フォルダアイコンをアイコン表示空間に展開し、そのアイコン表示空間の全部又は一部をフォルダ表示領域に表示するフォルダ表示処理手段と、
画面表示されたフォルダアイコンの中からいずれかのフォルダアイコンがユーザにより指示選択されたときに当該フォルダアイコン上における指示位置を検出する指示位置検出手段と、
ユーザにより指示選択されたフォルダアイコンに対応するフォルダに格納されたファイルに関する情報を、前記指示位置検出手段により検出された指示位置に対応付けして割り当てられているファイル情報表示制御処理を実行することによって特定された表示形式若しく表示形態にてファイル情報表示空間に展開し、特定されたファイル情報表示空間部分をファイル情報表示領域に表示するファイル情報表示処理手段と、
を有することを特徴とするファイル情報表示装置。
【請求項２】
フォルダアイコンを論理的に分割して形成される分割領域の領域情報と、各分割領域が指示されたときに実行するファイル情報表示制御処理の特定情報とが対応付けされた処理対応テーブルを記憶する手段を有し、
前記ファイル情報表示処理手段は、ユーザにより指示選択されたときに前記処理対応テーブルを参照することで実行するファイル情報表示制御処理を特定することを特徴とする請求項１記載のファイル情報表示装置。
【請求項３】
前記処理対応テーブルの更新処理を行うテーブル管理手段を有することを特徴とする請求項２記載のファイル情報表示装置。
【請求項４】
前記ファイル情報表示処理手段は、当該フォルダアイコン上における指示位置に応じて特定した整列規則に従いファイルに関する情報をファイル情報表示空間に展開することを特徴とする請求項１記載のファイル情報表示装置。
【請求項５】
前記ファイル情報表示処理手段は、当該フォルダアイコン上における指示位置近傍の角に対応するファイル情報表示空間及びファイル情報表示領域の各角の位置を合致させてファイル情報表示空間をファイル情報表示領域に表示することを特徴とする請求項１記載のファイル情報表示装置。
【請求項６】
前記ファイル情報表示処理手段は、前記指示位置検出手段により検出された指示位置に対応付けして割り当てられているサムネール形式又はリスト形式にて、ファイルに関する情報をファイル情報表示空間に展開することを特徴とする請求項１記載のファイル情報表示装置。
【請求項７】
コンピュータを、
ファイルを格納するフォルダそれぞれの存在を示すフォルダアイコンが表示されるフォルダ表示領域及び各フォルダに格納されたファイルに関する情報が表示されるファイル情報表示領域を画面表示する表示手段、
フォルダアイコンをアイコン表示空間に展開し、そのアイコン表示空間の全部又は一部をフォルダ表示領域に表示するフォルダ表示処理手段、
画面表示されたフォルダアイコンの中からいずれかのフォルダアイコンがユーザにより指示選択されたときに当該フォルダアイコン上における指示位置を検出する指示位置検出手段、
ユーザにより指示選択されたフォルダアイコンに対応するフォルダに格納されたファイルに関する情報を、前記指示位置検出手段により検出された指示位置に対応付けして割り当てられているファイル情報表示制御処理を実行することによって特定された表示形式若しく表示形態にてファイル情報表示空間に展開し、特定されたファイル情報表示空間部分をファイル情報表示領域に表示するファイル情報表示処理手段、
として機能させるファイル情報表示プログラム。
【発明の詳細な説明】
【技術分野】
【０００１】
本発明は、ファイルを管理するための装置及びプログラム、特にファイルに関する情報の表示に関する。
【背景技術】
【０００２】
従来、コンピュータに接続したハードディスク等の記憶装置にファイルを格納する場合、ユーザは、ファイル管理システムが持つ機能を利用してファイルの種別、内容等を基準に階層的に関連付けられたフォルダにファイルを分類、保存する。なお、フォルダの存在を示すと共にフォルダの階層関係を画面表示するために画面表示されるアイコンを、一般に「フォルダアイコン」と称している。
【０００３】
記憶装置に形成されたフォルダの各フォルダアイコンは、一般に、例えばマイクロソフト社のＷｉｎｄｏｗｓ（登録商標）に標準装備されたエクスプローラなどのファイル管理アプリケーションにより画面表示される。これらのファイル管理アプリケーションは、ファイルに関する情報を要求に応じて並べ替えて表示することができる。すなわち、例えばユーザがファイルの名称、サイズ、更新日付等並び替えの基準とする属性情報を予め用意されたメニューの中から選択すると、ファイル管理アプリケーションは、サイズの昇順／降順、日付の新しい／古い順など指定された属性情報に従って表示対象のファイルを並び替えて当該ファイルに関する情報を画面表示する。
【０００４】
【特許文献１】特開２０００−１４８３４４号公報
【特許文献２】特開平９−２６５３７５号公報
【発明の開示】
【発明が解決しようとする課題】
【０００５】
しかしながら、従来のファイル管理アプリケーションでは、サイズ等情報の並び替えの基準とする属性情報などを、メニューの中から選択させるようにしていたので、ユーザは、情報を並び替えたいときには、その都度、メニューを開いて選択するという操作を行わなければならなかった。
【０００６】
本発明は、ファイルに関する情報の表示に関して操作性の向上を図ることを目的とする。
【課題を解決するための手段】
【０００７】
本発明に係るファイル情報表示装置は、ファイルを格納するフォルダそれぞれの存在を示すフォルダアイコンが表示されるフォルダ表示領域及び各フォルダに格納されたファイルに関する情報が表示されるファイル情報表示領域を画面表示する表示手段と、フォルダアイコンをアイコン表示空間に展開し、そのアイコン表示空間の全部又は一部をフォルダ表示領域に表示するフォルダ表示処理手段と、画面表示されたフォルダアイコンの中からいずれかのフォルダアイコンがユーザにより指示選択されたときに当該フォルダアイコン上における指示位置を検出する指示位置検出手段と、ユーザにより指示選択されたフォルダアイコンに対応するフォルダに格納されたファイルに関する情報を、前記指示位置検出手段により検出された指示位置に対応付けして割り当てられているファイル情報表示制御処理を実行することによって特定された表示形式若しく表示形態にてファイル情報表示空間に展開し、特定されたファイル情報表示空間部分をファイル情報表示領域に表示するファイル情報表示処理手段とを有することを特徴とする。
【０００８】
また、フォルダアイコンを論理的に分割して形成される分割領域の領域情報と、各分割領域が指示されたときに実行するファイル情報表示制御処理の特定情報とが対応付けされた処理対応テーブルを記憶する手段を有し、前記ファイル情報表示処理手段は、ユーザにより指示選択されたときに前記処理対応テーブルを参照することで実行するファイル情報表示制御処理を特定することを特徴とする。
【０００９】
また、前記処理対応テーブルの更新処理を行うテーブル管理手段を有することを特徴とする。
【００１０】
また、前記ファイル情報表示処理手段は、当該フォルダアイコン上における指示位置に応じて特定した整列規則に従いファイルに関する情報をファイル情報表示空間に展開することを特徴とする。
【００１１】
また、前記ファイル情報表示処理手段は、当該フォルダアイコン上における指示位置近傍の角に対応するファイル情報表示空間及びファイル情報表示領域の各角の位置を合致させてファイル情報表示空間をファイル情報表示領域に表示することを特徴とする。
【００１２】
また、前記ファイル情報表示処理手段は、前記指示位置検出手段により検出された指示位置に対応付けして割り当てられているサムネール形式又はリスト形式にて、ファイルに関する情報をファイル情報表示空間に展開することを特徴とする。
【００１３】
本発明に係るファイル情報表示プログラムは、コンピュータを、ファイルを格納するフォルダそれぞれの存在を示すフォルダアイコンが表示されるフォルダ表示領域及び各フォルダに格納されたファイルに関する情報が表示されるファイル情報表示領域を画面表示する表示手段、フォルダアイコンをアイコン表示空間に展開し、そのアイコン表示空間の全部又は一部をフォルダ表示領域に表示するフォルダ表示処理手段、画面表示されたフォルダアイコンの中からいずれかのフォルダアイコンがユーザにより指示選択されたときに当該フォルダアイコン上における指示位置を検出する指示位置検出手段、ユーザにより指示選択されたフォルダアイコンに対応するフォルダに格納されたファイルに関する情報を、前記指示位置検出手段により検出された指示位置に対応付けして割り当てられているファイル情報表示制御処理を実行することによって特定された表示形式若しく表示形態にてファイル情報表示空間に展開し、特定されたファイル情報表示空間部分をファイル情報表示領域に表示するファイル情報表示処理手段として機能させる。
【発明の効果】
【００１４】
本発明によれば、所望の表示形態や表示形式が割り付けられているフォルダアイコン上における論理的に分割された領域内を指示するだけで所望の表示形態等でファイルに関する情報を表示することができるので操作性を向上させることができる。
【発明を実施するための最良の形態】
【００１５】
以下、図面に基づいて、本発明の好適な実施の形態について説明する。
【００１６】
図１は、本発明に係るファイル情報表示装置に相当するコンピュータのハードウェア構成図である。本実施の形態において用いるコンピュータは、従前から存在する汎用的なハードウェア構成で実現できる。すなわち、コンピュータ１は、図１に示したようにＣＰＵ２、ＲＯＭ２、ＲＡＭ３、ハードディスクドライブ（ＨＤＤ）４を接続したＨＤＤコントローラ５、入力手段として設けられたマウス６及びキーボード７、表示装置として設けられたディスプレイ８をそれぞれ接続する入出力コントローラ９、通信手段として設けられたネットワークコントローラ１０を内部バス１１に接続して構成される。
【００１７】
図２は、本実施の形態におけるファイル情報表示装置２０の機能ブロック構成図である。ファイル情報表示装置２０には、例えば富士ゼロックス社製のＤｏｃｕｗｏｒｋｓ（登録商標）やマイクロソフト社のＷｉｎｄｏｗｓシステムなどのようにフォルダを階層関係にて関連付けて管理し、またフォルダの階層関係をツリー構造にて表示装置に表示しうるファイル管理システムが装備されていることを前提とする。その上で、ファイル情報表示装置２０は、入力処理部２１、指示位置検出部２２、表示処理部２３、テーブル管理部２４、処理対応テーブル２５及びファイル格納部２６を有している。入力処理部２１は、入出力コントローラ９から入力されてくるマウス６及びキーボード７を用いたユーザ操作内容を受け付ける。この受け付けたユーザ操作には、フォルダアイコンに対するクリック操作による選択操作も当然ながら含まれることになるが、指示位置検出部２２は、フォルダアイコンがクリックされたときの当該フォルダアイコン上におけるクリックされた位置を検出する。この位置検出に関しては、追って詳述する。表示処理部２３は、ファイル格納部２６にファイルを格納する際に生成された各フォルダの階層関係をツリー構造にてディスプレイ８に表示する。また、表示対象のフォルダに格納されたファイルに関する情報をディスプレイ８に表示する。ディスプレイ８へのフォルダ及びファイルに関する情報の表示は、基本的にはファイル管理システムが持つ機能によって実施されるので、本実施の形態における表示処理部２３が提供する処理機能は、ファイル管理システムに組み込まれていることになる。テーブル管理部２４は、処理対応テーブル２５の設定内容の更新等情報管理を行う。ファイル格納部２６には、表示対象となるファイルが格納されている。なお、本実施の形態では、ファイルの格納先については特徴を有するものではないため、表示対象とするファイルの格納先としては、ファイル格納部２６のみを便宜的に示したが、ネットワーク経由でアクセス可能なファイルを表示対象とすることができる。
【００１８】
ファイル情報表示装置２０における各構成要素３１〜２４は、ファイル情報表示装置２０を形成するコンピュータと、コンピュータに搭載されたＣＰＵ１により実行されるプログラムとの協調動作により実現される。また、処理対応テーブル２５はファイル情報表示装置２０のＲＡＭ３若しくはＨＤＤ４により、ファイル格納部２６はＨＤＤ４により、それぞれ実現される。また、本実施の形態で用いるプログラムは、通信手段により提供することはもちろん、ＣＤ−ＲＯＭ等の記録媒体に格納して提供することも可能である。
【００１９】
図３は、本実施の形態における表示処理部２３により表示されるウィンドウ画面の表示例を示した図である。表示処理部２３により表示されるウィンドウ画面には、フォルダ表示領域３１とファイル情報表示領域３２とが含まれる。フォルダ表示領域３１には、フォルダの階層関係が把握できるようにフォルダアイコン３３が表示される。より正確に説明すると、フォルダアイコン３３は、フォルダアイコン表示空間に展開され、フォルダアイコン表示空間がフォルダ表示領域３１より広い場合には、ファイル管理システムによりスクロールバー３４が表示される。ユーザは、スクロールバー３４を操作して選択した範囲に位置するフォルダアイコン表示空間をフォルダ表示領域３１に表示することができる。このフォルダ表示領域３１に対する基本的な表示制御は、後述する本実施の形態の特徴的な表示制御を除き従前から存在するファイル管理システムと同じである。
【００２０】
ファイル情報表示領域３２には、選択されたフォルダに格納されているファイルに関する情報（以下、単に「ファイル情報」）３５が表示される。ファイル情報としては、ファイル名やサムネール表示したときの画像情報等各ファイルを特定する情報やファイルサイズ等のファイルに関する属性情報が該当する。図３では、以降の説明の便宜を図るためにファイルの名称、サイズ及び更新日付を示した。図３には、該当するファイルが縮小表示された例が示されているが、ファイル情報は、例えばメニューバーにある表示ボタン３６を選択して表示されるプルダウンメニューの中から所望する表示形式等を選択することで、サムネール表示若しくはリスト表示と表示形式を切替表示することができる、また、ファイル情報を表示する並び順を選択することができる。ファイル情報表示領域３２に対する表示制御は、フォルダ表示領域３１に対して説明した表示制御と同様である。すなわち、選択されたフォルダに格納されたファイルに関する情報は、ファイル情報表示空間に展開され、ファイル情報表示空間がファイル情報表示領域３２より広い場合には、ファイル管理システムによりスクロールバーが表示される。なお、図３は、ファイル情報表示空間がファイル情報表示領域３２より狭い場合の例を示している。ファイル情報表示領域３２に対する基本的な表示制御は、後述する本実施の形態の特徴的な表示制御を除き従前から存在するファイル管理システムと同じである。
【００２１】
図４は、フォルダアイコン３３の拡大図であり、図５は、本実施の形態における処理対応テーブル２５へのデータ設定例を示した図である。これらの図を用いて処理対応テーブル２５に予め設定しておく情報について説明する。
【００２２】
フォルダアイコン３３を矩形形状とみなした場合、図４では、この矩形を４つの領域に論理的に等分割したことを示している。そして、フォルダアイコン３３の左上の頂点を座標の原点（０，０）とし、右下の頂点座標を（１，１）とした。各分割領域３７〜４０は矩形形状なので、各分割領域３７〜４０の左上と右下の頂点の座標を特定すれば、各分割領域３７〜４０の範囲は特定できる。図４には、各分割領域３７〜４０の頂点座標を示した。ここで、図５に示した処理対応テーブル２５の設定例では、図４における分割領域３７〜４０それぞれの範囲を特定しうる左上と右下の各頂点座標が設定され、そして各領域指定情報に対応させて表示制御処理の内容が対応付けられている。例えば分割領域３７には、名称順という表示制御処理が対応付けられている。つまり、表示制御処理への設定によって実行するプログラムを切り替えたり、同一の表示制御処理プログラムに渡すパラメータ値（この例では、「名称順」等）を異ならせたりすることができる。
【００２３】
次に、本実施の形態においてファイル情報を表示する処理について図６に示したフローチャートを用いて説明する。
【００２４】
ファイル管理アプリケーションが起動されたことによりフォルダ及びファイル情報が所定のウィンドウ画面上に表示される（ステップ１１０）。その後、ユーザが例えばフォルダ３に格納されているファイルに関する情報を名称の順に整列させて表示させたいとする。ユーザは、図５に示した処理対応テーブル２５への設定内容を事前に知っている。従って、ファイル情報を名称順に並べて表示させたいユーザは、マウス６を操作してフォルダ３のフォルダアイコン３３の左上部分をクリックする。
【００２５】
フォルダアイコン３３がクリックされたことにより（ステップ１２０でＹ）、入力処理部２１が入出力コントローラ９から送られてきたユーザ入力操作、すなわちフォルダ３のフォルダアイコン３３のクリック操作を受け付けると、指示位置検出部２２は、フォルダアイコン３３上のどの位置がクリックされたかを検出する（ステップ１３０）。続いて、表示処理部２３は、指示位置検出部２２により検出された指示位置座標データを受け取って、その指示位置座標と処理対応テーブル２５に設定された各分割領域３７〜４０の領域指定情報とを照合することによって、指示位置座標がどの分割領域に含まれるかを特定する（ステップ１４０）。この例では、表示処理部２３は、ユーザはフォルダアイコン３３の左上部分をクリックしており、左上の頂点座標（０，０）、右下の頂点座標を（１，１）とする分割領域３７の中がクリックされたことを認識する。これにより、表示処理部２３は、分割領域３７に対応付けられた表示制御処理、図５に示した設定例によると、ファイル情報を名称順にソートして表示する処理を実行し（ステップ１５０）、その実行結果をファイル情報表示空間に展開する（ステップ１６０）。そして、表示処理部２３は、ファイル情報表示空間の全部又は一部をファイル情報表示領域３２に表示する（ステップ１７０）。このファイル情報が画面表示されたときの表示例を図７に示す。この表示例では、フォルダ３に格納されたファイルに関する情報の全てをファイル情報表示領域３２に表示できる例を示したが、ファイル情報量が多く、ファイル情報表示空間全体をファイル情報表示領域３２に表示できないときには、スクロールバーを表示して画面スクロール可能にする。
【００２６】
上記説明では、ユーザがファイル情報を名称順にソートして表示させたいためにフォルダアイコン３３の左上部分をクリックしたときの処理の例であるが、ファイル情報を日付順にソートして表示させたいためにフォルダアイコン３３の右上部分をクリックした場合でも図６に示したフローチャートに従い同様に表示処理を実行する。
【００２７】
すなわち、ユーザによるフォルダアイコン３３のクリック操作による位置指示操作を検出すると、表示処理部２３は、指示位置検出部２２により検出されたクリック位置と処理対応テーブル２５に設定された各分割領域３７〜４０の領域指定情報とを照合することによって、クリック位置座標が分割領域３８の中がクリックされたことを認識する。これにより、表示処理部２３は、分割領域３８に対応付けられた表示制御処理、すなわち日付順にソートしてファイル情報をファイル情報表示空間に展開し、そしてファイル情報表示領域３２に表示する。この処理によってファイル情報が画面表示されたときの表示例を図８に示す。
【００２８】
なお、ユーザがファイル情報をサイズ順にソートして表示させたいためにフォルダアイコン３３の左下部分をクリックした時の処理の内容は、上記と同様なので説明を省略する。この結果、得られる表示例を図９に示す。なお、本実施の形態では、ファイル情報をサイズに従い降順に並べて表示するようにしたが、昇順に並べて表示するようにしてもよい。これは、表示制御処理プログラムにも依存してくるが、切替可能なボタンを予め用意するなどしてもよいし、フォルダアイコン３３に降順と昇順の双方を割り付ける、つまり、処理対応テーブル２５に双方を設定するなどしても対応できる。
【００２９】
また、図５に示した処理対応テーブル２５の設定例から明らかなように、本実施の形態では、フォルダアイコン３３の右下部分に何も表示制御処理を設定していないこともできる。本実施の形態では、この場合、直前の表示形態や形式で表示することを想定しているが、これは任意に設定することは可能である。
【００３０】
所望の表示形態にてファイル情報を表示させたい場合、従来においては、メニューバーを選択しプルダウンメニューを表示させて、更にそのメニューの中から選択するなどの操作をする必要があったが、本実施の形態によれば、所望の表示形態が割り付けられているフォルダアイコン上における位置をクリックするだけでよいので、操作性を向上させることができる。
【００３１】
実施の形態２．
上記実施の形態１では、ファイル情報をどのように整列させるかというファイル情報の表示形態をフォルダアイコンの各分割領域に割り付けた例を示した。本実施の形態では、表示形式をフォルダアイコンの各分割領域に割り付けた場合の例を示す。ファイル管理アプリケーションには、フォルダに格納されているファイルに関する情報をファイル名、サイズ等の文字情報とし、それをリスト表示するリスト形式と、ファイルの実際のデータから生成されたサムネール画像をファイル情報として表示するサムネール形式とを有するものがある。本実施の形態では、この表示形式をフォルダアイコンのクリック位置によって選択できるようにした。
【００３２】
実施の形態１では、図５に示したようにフォルダアイコン３３を４分割したが、本実施の形態では、２分割すればよい。すなわち、本実施の形態における処理対応テーブル２５の設定例を図１０に示すが、図１０に示した設定例によると、フォルダアイコン３３の左半分をサムネール形式が、右半分をリスト形式がそれぞれ割り当てられている。
【００３３】
本実施の形態におけるファイル情報の表示処理は、図６に示したフローチャートを用いて説明した実施の形態１と同様である。すなわち、サムネール形式にて表示させたいユーザによってフォルダ３のフォルダアイコン３３上における左側がクリックされると、表示処理部２３は、フォルダ３に格納されたファイルに関する情報をサムネール形式にて表示する。このサムネール形式にて画面表示された場合の例を図１１に示す。
【００３４】
また、ユーザがリスト表示させたい場合には、フォルダ３のフォルダアイコン３３上における右側をクリックすればよく、こうすることによって、表示処理部２３は、フォルダ３に格納されたファイルに関する情報をリスト表示する。このリスト形式にて画面表示された場合の例を図１２に示す。
【００３５】
なお、本実施の形態では、各形式共に名称順に整列させて表示した例を示したが、これは、実施の形態１において昇順／降順での表示について説明したように、表示形態切替用のボタンを設けたり、フォルダアイコン３３を更に細かく分割したりして対応することができる。
【００３６】
実施の形態３．
上記各実施の形態１，２では、ファイル情報をユーザにより選択されたファイル名やサイズ等のファイル属性に従いソートしてファイル情報表示空間に展開し、そのファイル情報表示空間に並べたファイル情報をファイル情報表示領域３２に表示すると説明した。上記各実施の形態１，２に例示したようにファイル情報表示空間がファイル情報表示領域３２の表示範囲と比較して大きくない場合は、全てのファイル情報を同時に表示することができるが、そうでない場合は、ファイル情報表示空間に展開したファイル情報を全て同時に表示することができない。従って、この場合は、ファイル情報表示空間を部分的に表示することになるが、本実施の形態は、このような場合に適合した表示処理に関するものである。
【００３７】
図１３は、ファイル情報が展開された状態のファイル情報表示空間を示した概念図である。なお、この図では、ファイル情報が整列されていない状態でファイル情報表示空間４１に展開されている例を示しているが、本実施の形態では、ファイル情報がどのように展開されているかということについては特に関係なく、ファイル情報表示空間４１がファイル情報表示領域３２より広ければよい。なお、本実施の形態におけるファイル情報表示空間４１は、通常通り矩形形状をしている。また、本実施の形態におけるファイル情報表示空間４１は、ファイル情報表示領域３２と比較して大きいものとする。
【００３８】
図１４は、本実施の形態における処理対応テーブル２５へのデータ設定例を示した図である。本実施の形態では、図４に示したようにフォルダアイコン３３を４分割して利用し、各分割領域３１〜３４に対応させて、ファイル情報表示空間４１のどの頂点を原点としてファイル情報表示領域３２に表示するかという、その頂点位置を表示制御処理に設定する。
【００３９】
本実施の形態における表示処理は、図６に示したフローチャートを用いて説明した実施の形態１と同様である。従って、実施の形態１と異なる点に着目して処理の内容を説明する。
【００４０】
ファイル情報表示空間４１の右下の頂点を原点としてファイル情報をファイル情報表示領域３２に表示させたいユーザによってフォルダ３のフォルダアイコン３３上における右下部分がクリックされると、表示処理部２３は、ファイル情報をファイル情報表示空間４１に展開する。本実施の形態では、ファイル情報をどのように整列してファイル情報表示空間４１に展開するかということについては特徴を有していないが、ここでは、ユーザは日付順にファイル情報が表示されることを知っていてフォルダアイコン３３の右下部分をクリックしたものとする。
【００４１】
その後、表示処理部２３は、処理対応テーブル２５を参照することにより右下の頂点を原点とすることを認識すると、ファイル情報表示空間４１における右下の頂点４５をファイル情報表示領域３２の同じく右下に合わせる。このように位置合わせをして表示した結果を図１５に示す。この表示例から明らかなように、ファイル情報表示空間４１の右下に相対的に近いファイル情報がファイル情報表示領域３２に表示されることになる。
【００４２】
これにより、日付順にファイル情報が表示されることを知っているユーザが右下の頂点４５を原点として選択することによって、最新のファイルに関する情報をより確実に画面表示させることができる。
【００４３】
また、ファイル情報表示空間４１の左上の頂点を原点としてファイル情報をファイル情報表示領域３２に表示させたいユーザによってフォルダ３のフォルダアイコン３３上における左上部分がクリックされたときの画面表示例を図１６に示す。なお、このときの表示処理は、どの頂点を原点とするかという点だけ異なるので、この場合の表示処理の説明は省略する。図１６に示した表示例によると、ファイル情報表示空間４１における左上の頂点４２をファイル情報表示領域３２の同じく左上に合わせてファイル情報を表示するようにしたので、古いファイルに関する情報をより確実に画面表示させることができる。なお、右上の頂点４３、左下の頂点４４についても同様に処理することになるので、説明を省略する。
【００４４】
ファイル情報表示空間４１がファイル情報表示領域３２より大きい場合には、ファイル情報表示空間４１を部分的にしか同時に表示することはできないが、本実施の形態によれば、フォルダアイコン３３のクリック位置を考慮することによってファイル情報表示空間４１とファイル情報表示領域３２との位置合わせを容易に行うことができる。
【００４５】
ところで、本実施の形態は、ファイル情報表示空間４１がファイル情報表示領域３２と比較して大きいためにファイル情報表示空間４１の全体を同時に表示できないから、ファイル情報表示空間４１のうちどの部分を表示させるかという問題に対し、本実施の形態では、ファイル情報表示空間４１の頂点のいずれかを原点としてファイル情報表示領域３２に表示するようにした。その原点の位置を特定するためにフォルダアイコンを領域分割して、クリックされた分割領域に対応した頂点を原点とした。ただ、ファイル情報表示空間４１がファイル情報表示領域３２と比較して大きいためにファイル情報表示空間４１のうちどの部分を表示させるかという問題に対しては、フォルダアイコンを必ずしも領域分割しなくてもよい。例えば、フォルダアイコンの左辺の中央辺りがクリックされたとすると、ファイル情報表示空間４１の頂点４２，４４の間の中央辺りを原点として表示する。また、フォルダアイコンの右辺の上方から２０％辺りがクリックされたとすると、ファイル情報表示空間４１の頂点４３，４５の間を１とした場合、頂点４３から２０％頂点４５に近づいた辺りを原点として表示する。このように、フォルダアイコンを分割せずに、クリックされた位置と相対的な位置関係にあるファイル情報表示空間４１の部分を原点として表示するようにしてもよい。
【００４６】
上記各実施の形態においては、ファイル情報の表示形式や表示形態をフォルダアイコン上におけるクリック位置を考慮するだけで設定することができるので、ファイル情報の表示形式等の設定の操作性を向上させることができる。
【００４７】
なお、上記各実施の形態においては、フォルダアイコン３３のクリック位置によって名称やサイズ等のファイル属性、サムネール形式等の表示形式、あるいはファイル情報表示空間４１の表示部分を容易に設定することができることについて説明したが、これらのうち単一機能のみを選択的に装置に搭載するのではなく、全ての機能を搭載して、例えば予め決められたキー操作などによりいずれかを切替可能に選択できるようにしてもよい。
【００４８】
また、上記各実施の形態では、フォルダアイコンを２分割又は４分割した例を示したが、割り当てる属性によっては３分割や５以上に分割してもよい。ただ、分割数を多くすると、所望する分割領域内をクリックできなくなる可能性が高くなってくるので、例えば、マウスカーソルが所定時間以上合わせられたフォルダアイコンを拡大表示するなどして誤操作を未然に防止できるようにしてもよい。
【００４９】
また、上記各実施の形態では、フォルダアイコンを等分割したが、必ずしも等分割する必要はない。各実施の形態では、処理対応テーブル２５の座標データから構成される領域指定情報を変更するだけで分割した各領域の大きさを容易に調整することができる。なお、これは、テーブル管理部２４がユーザからの指示に応じて設定変更することができる。
【００５０】
また、ユーザのクリック回数をカウントしておき、そのカウント数に応じて分割領域の大きさを自動調整するようにしてもよい。すなわち、ある分割領域が他より数多くクリックされるということは、それだけその分割領域に対応付けられた表示形態で表示されることをユーザが望んでいることになるので、その分割領域をクリック数に応じて大きくすることでクリックしやすくなる。このように、選択頻度に応じて分割領域の大きさを自動調整するようにしてもよい。
【００５１】
ただ、分割領域の大きさが自動調整されると、他の分割領域との境界が不明になってしまいがちである。また、分割領域の大きさを固定にしていても他の分割領域との境界がわかりにくいかもしれない。そこで、このような場合は、分割領域の境界にフォルダアイコンと異なる色を使って線引きをしたり、分割領域毎に異なる色、模様等をつけるなど表示属性を少なくとも隣接する分割領域と異ならせたりして、各分割領域の範囲をより明確にすることが好適である。
【００５２】
なお、各実施の形態において、クリック検出対象とする領域をフォルダアイコンに限定した。ただ、一般的なファイル管理アプリケーションは、フォルダアイコンの並べてフォルダ名を表示し、そのフォルダ名がクリックされても当該フォルダに格納されたファイルに関する情報を画面表示する。従って、フォルダアイコンに限定せずにフォルダ名等フォルダに関する表示情報もフォルダアイコンと共にクリック検出対象領域としてもよい。
【図面の簡単な説明】
【００５３】
【図１】本発明に係るファイル情報表示装置に相当するコンピュータのハードウェア構成図である。
【図２】実施の形態１におけるファイル情報表示装置の機能ブロック構成図である。
【図３】実施の形態１における表示処理部により表示されるウィンドウ画面の表示例を示した図である。
【図４】フォルダアイコンの拡大図である。
【図５】実施の形態１における処理対応テーブルへのデータ設定例を示した図である。
【図６】実施の形態１においてファイル情報を表示する処理を示したフローチャートである。
【図７】実施の形態１においてファイル情報が名称順にソートされて画面表示されたときの表示例を示した図である。
【図８】実施の形態１においてファイル情報が日付順にソートされて画面表示されたときの表示例を示した図である。
【図９】実施の形態１においてファイル情報がサイズ順にソートされて画面表示されたときの表示例を示した図である。
【図１０】実施の形態２における処理対応テーブルへのデータ設定例を示した図である。
【図１１】実施の形態２においてファイル情報がサムネール形式にて画面表示されたときの表示例を示した図である。
【図１２】実施の形態２においてファイル情報がリスト形式にて画面表示されたときの表示例を示した図である。
【図１３】実施の形態３においてファイル情報が展開された状態のファイル情報表示空間を示した概念図である。
【図１４】実施の形態３における処理対応テーブルへのデータ設定例を示した図である。
【図１５】実施の形態３においてフォルダアイコン上における右下部分がクリックされたときにファイル情報が画面表示されたときの表示例を示した図である。
【図１６】実施の形態３においてフォルダアイコン上における左上部分がクリックされたときにファイル情報が画面表示されたときの表示例を示した図である。
【符号の説明】
【００５４】
１  ＣＰＵ、２  ＲＯＭ、３  ＲＡＭ、４  ハードディスクドライブ（ＨＤＤ）、５  ＨＤＤコントローラ、６  マウス、７  キーボード、８  ディスプレイ、９  入出力コントローラ、１０  ネットワークコントローラ、１１  内部バス、２０  ファイル情報表示装置、２１  入力処理部、２２  指示位置検出部、２３  表示処理部、２４  テーブル管理部、２５  処理対応テーブル、２６  ファイル格納部。
【図１】
2008146277.tif 000003
【図２】
2008146277.tif 000004
【図３】
2008146277.tif 000005
【図４】
2008146277.tif 000006
【図５】
2008146277.tif 000007
【図６】
2008146277.tif 000008
【図７】
2008146277.tif 000009
【図８】
2008146277.tif 000010
【図９】
2008146277.tif 000011
【図１０】
2008146277.tif 000012
【図１１】
2008146277.tif 000013
【図１２】
2008146277.tif 000014
【図１３】
2008146277.tif 000015
【図１４】
2008146277.tif 000016
【図１５】
2008146277.tif 000017
【図１６】
2008146277.tif 000018